(57)【要約】【課題】  複数の通話線を備えた伝送線を使用する場合でも、１回路の帰還量調整回路のみで個々の通話線の帰還量を最適に調整できる集合住宅インターホンシステムを提供する。【解決手段】  制御機３に通話線Ｌ２ｂ，Ｌ２ｃの帰還特性により発生するハウリングを防止するための帰還量調整部３１と帰還量調整部の抵抗値を記憶する抵抗値記憶部３２とを設け、帰還量調整部３１に通話線Ｌ２ｂ，Ｌ２ｃの帰還量を打ち消す帰還量打ち消し回路５２と、帰還量打ち消し回路５２を制御する制御部５８とを設けた。制御部５８が通話線Ｌ２ｂ，Ｌ２ｃの帰還量調整を順次実施し、それぞれの帰還量が最小となる帰還量打ち消し回路５２の抵抗値を抵抗値記憶部３２に書込み、機器間の通話路形成時は使用する通話線Ｌ２ｂ，Ｌ２ｃに応じた抵抗値を使用して帰還量打ち消し回路を動作させる。【選択図】  図５
2014017666.tif 000002
【特許請求の範囲】
【請求項１】
来訪者が居住者を呼び出すために集合住宅のエントランスに設置された集合玄関機と、前記集合玄関機からの呼び出しに居住者が応答するために各住戸に設置された居室親機と、前記集合玄関機及び前記居室親機の間の通信を制御する制御機とを有し、前記集合玄関機と前記居室親機とは前記制御機を介した伝送線で接続され、前記制御機から前記居室親機へ至る伝送線がデータ線と少なくとも２本の通話線を備えた親機幹線で構成され、複数の居室親機が前記親機幹線から分岐器によって分岐接続された集合住宅インターホンシステムであって、
前記制御機は、前記居室親機に対し通話線の切り替えを要求する通話線切替要求部と、
前記通話線の帰還特性により発生するハウリングを防止するための帰還量調整部と、
前記帰還量調整部の所定のパラメータを記憶する記憶部とを有する一方、
前記居室親機は、前記通話線切替要求を受けて前記分岐器に対し通話線切替信号を出力する分岐切替送信部を有すると共に、前記分岐器は複数線の通話線の何れかに切り替えて前記居室親機を接続する切替スイッチを有し、
前記帰還量調整部は、前記通話線の帰還信号を打ち消すための帰還量打ち消し回路と、前記帰還量打ち消し回路を制御する制御部とを有し、
前記制御部は、前記通話線の帰還量調整を前記切替スイッチを切り替えて順次実施し、それぞれの通話線の帰還量が最小となる前記打ち消し回路の前記パラメータを前記記憶部に書込み、
機器間の通話路形成時は、使用する通話線に応じたパラメータを使用して前記帰還量打ち消し回路を動作させることを特徴とする集合住宅インターホンシステム。
【請求項２】
前記帰還量打ち消し回路は、所定の信号を増幅する増幅回路と、帰還量を前記増幅回路出力で削減する減算回路とを有し、
前記パラメータが前記増幅回路の増幅率を決定する抵抗の抵抗値であることを特徴とする請求項１記載の集合住宅インターホンシステム。
【発明の詳細な説明】
【技術分野】
【０００１】
本発明は、集合住宅インターホンシステムに関し、特に居室親機と制御機の間に複数本の通話線が設けられた集合住宅インターホンシステムに関する。
【背景技術】
【０００２】
制御機と居室親機の間の伝送線を、信号線と２本の通話線で構成した集合住宅インターホンシステムがある（例えば特許文献１参照）。
インターホンで使用される通話線は通常並行する２線で構成されており、線路長が長くなると線路抵抗や線路間容量が大きくなり、帰還量が大きくなることが知られている。そのため、伝送線の長さに対応したハウリング対策が必要であり、通話線に帰還量打ち消し回路を設けて対応している。
例えば特許文献２では、帰還量打ち消し回路に送話音声の利得を調整して出力する増幅回路を設け、所定の調整工程を実行して帰還量を良好に打ち消すよう増幅器の利得を調整し、帰還量を最小にしてハウリングを防止している。
【先行技術文献】
【特許文献】
【０００３】
【特許文献１】特開２００７−２３５２１９号公報
【特許文献２】特開２０１２−５４６２８号公報
【発明の概要】
【発明が解決しようとする課題】
【０００４】
しかしながら、上記特許文献１の構成の場合、同時に２通話路を形成することができるため利便性が良いが、ハウリングを防止するためには帰還量を調整するための回路も２回路必要であった。特に、特許文献２に開示されているような帰還量調整機能を設けた場合、大幅なコスト増は避けられなかった。
【０００５】
そこで、本発明はこのような問題点に鑑みなされたもので、複数の通話線を備えた伝送線を使用する場合でも、１回路の帰還量調整回路のみで個々の通話線の帰還量を最適に調整できる集合住宅インターホンシステムを提供することを目的とする。
【課題を解決するための手段】
【０００６】
上記課題を解決する為に、請求項１の発明は、来訪者が居住者を呼び出すために集合住宅のエントランスに設置された集合玄関機と、集合玄関機からの呼び出しに居住者が応答するために各住戸に設置された居室親機と、集合玄関機及び居室親機の間の通信を制御する制御機とを有し、集合玄関機と居室親機とは制御機を介した伝送線で接続され、制御機から居室親機へ至る伝送線がデータ線と少なくとも２本の通話線を備えた親機幹線で構成され、複数の居室親機が親機幹線から分岐器によって分岐接続された集合住宅インターホンシステムであって、制御機は、居室親機に対し通話線の切り替えを要求する通話線切替要求部と、通話線の帰還特性により発生するハウリングを防止するための帰還量調整部と、帰還量調整部の所定のパラメータを記憶する記憶部とを有する一方、居室親機は、通話線切替要求を受けて分岐器に対し通話線切替信号を出力する分岐切替送信部を有すると共に、分岐器は複数線の通話線の何れかに切り替えて居室親機を接続する切替スイッチを有し、帰還量調整部は、通話線の帰還信号を打ち消すための帰還量打ち消し回路と、帰還量打ち消し回路を制御する制御部とを有し、制御部は、通話線の帰還量調整を切替スイッチを切り替えて順次実施し、それぞれの通話線の帰還量が最小となる打ち消し回路のパラメータを記憶部に書込み、機器間の通話路形成時は、使用する通話線に応じたパラメータを使用して帰還量打ち消し回路を動作させることを特徴とする。
この構成によれば、帰還量がハウリングが発生しない最適値と成った時のパラメータを記憶しておくため、実際の通話路形成時に使用する通話線に応じて記憶したパラメータを読み出して帰還量を調整することができ、複数の通話線に対して個々に帰還量調整部を設けることなく、１つの帰還量調整部により全ての通話線の帰還量調整を実施できる。よって、低コストでハウリングを防止できる。
【０００７】
請求項２の発明は、請求項１に記載の構成において、帰還量打ち消し回路は、所定の信号を増幅する増幅回路と、帰還量を増幅回路出力で削減する減算回路とを有し、パラメータが増幅回路の増幅率を決定する抵抗の抵抗値であることを特徴とする。
この構成によれば、単純に増幅率の調整で実施するため、帰還量の調整がし易いしパラメータを把握し易い。
【発明の効果】
【０００８】
本発明によれば、複数の通話線に対して個々に帰還量調整部を設けることなく、１つの帰還量調整部により全ての通話線の帰還量調整を実施でき、低コストでハウリングを防止できる。
【図面の簡単な説明】
【０００９】
【図１】本発明に係る集合住宅インターホンシステムの一例を示す構成図である。
【図２】制御機のブロック説明図である。
【図３】居室親機のブロック説明図である。
【図４】分岐器のブロック説明図である。
【図５】帰還量調整部の回路ブロック図である。
【発明を実施するための形態】
【００１０】
以下、本発明を具体化した実施の形態を、図面を参照して詳細に説明する。図１は本発明に係る集合住宅インターホンシステムの一例を示す構成図であり、１は集合住宅のエントランスに設置されて来訪者が居住者を呼び出すための集合玄関機、２は各住戸に設置されて集合玄関機１からの呼び出しを報音し、居住者が来訪者と通話するための居室親機、３は集合玄関機１と居室親機２との間の通信を制御する制御機である。
集合玄関機１はデータ線（信号線）と１本の通話線から成る伝送線Ｌ１を介して制御機３に接続されている。居室親機２は、データ線と２本の通話線から成る親機幹線Ｌ２を介して制御機３に接続されている。そして、居室親機２はデータ線と１本の通話線、更に分岐器制御線を有する伝送線Ｌ３を介して親機幹線Ｌ２上に設置された分岐器４に接続されてる。
【００１１】
図２は居室親機２の構成の一部をブロックで示した説明図である。居室親機２は、図２に示すように、後述する通話線切替要求部３３により送信される信号を受信し、分岐器４に対し通話路を切り替えるための切替信号を送信する分岐切替送信部２１と、この分岐切替送信部２１を制御する親機ＣＰＵ２２、制御機３と通信するための親機インターフェース（親機ＩＦ）２３を備えている。尚、居室親機２は、通話するためのマイク及びスピーカ、応答操作等各種操作をするための操作部等を備えているが、省略してある。
【００１２】
図３は制御機３の構成の一部をブロックで示した説明図である。制御機３は、図３に示すように通話線の長さに伴って変化する帰還量を小さくなるよう制御してハウリングの発生を防止するための帰還量調整部３１と、帰還量調整部３１により設定された帰還量設定抵抗の抵抗値を記憶する抵抗値記憶部３２と、居室親機２に対し通話線の切り替えを要求する通話線切替要求部３３、制御機３の各部を制御する制御機ＣＰＵ３４、集合玄関機１と通信する集合玄関機インターフェース（集合玄関機ＩＦ）３５、居室親機２と通信する居室親機インターフェース（居室親機ＩＦ）３６等を備えている。
【００１３】
図４は分岐器４の構成の一部をブロックで示した説明図である。分岐器４は図４に示すように、データ線Ｌ２ａと２本の通話線（第１通話線Ｌ２ｂ、第２通話線Ｌ２ｃ）で構成される親機幹線Ｌ２から、データ線Ｌ２ａと何れか１本の通話線を分岐するよう切替スイッチ４１を備えて構成されている。
【００１４】
上記構成の集合住宅インターホンシステムの動作を次に説明する。尚、集合玄関機１からの呼び出し、居室親機２からの応答動作等インターホンの基本動作は従来と同様であるため説明を省略し、ここでは通話線Ｌ２ｂ，Ｌ２ｃの帰還量調整制御の流れを中心に説明する。
【００１５】
制御機３の電源が投入されると、制御機ＣＰＵ３４が帰還量調整部３１に実行命令を出す。この命令を受けて、帰還量調整部３１は帰還量調整制御を実施し、例えば始めに第１通話線Ｌ２ｂの帰還量調整を実施する。この調整は、上記特許文献２に記載の如く実施される。具体的に図５を参照して説明する。
図５は、帰還量調整部３１のブロック図であり、５１はテスト信号を出力するＦＰＧＡで構成された発振回路、５２は帰還量を打ち消す信号を生成する帰還量打ち消し回路、５３は親機幹線Ｌ２を介して居室親機２と通信するためにハイブリッド回路で形成された送受信回路、５４は居室親機２から伝送された音声信号を集合玄関機１等へ伝送する受話回路、５５は打ち消し後の帰還量のピークを検出するピーク検出回路、５６は居室親機２に伝送する信号を集合玄関機１等の機器からの信号或いは発振回路５１が出力するテスト信号の何れかに切り替えるスイッチ、５８は帰還量調整部３１の各回路を制御する制御部である。
【００１６】
尚、抵抗値記憶部３２は帰還量打ち消し回路５２に設けられている。また、帰還量打ち消し回路５２は、デジタル・ポテンショメータ（ＤＰ）５２ｂを有して信号を増幅する機能を備えた打ち消し信号生成回路５２ａ、打ち消し信号生成回路５２ａの出力信号により親機幹線Ｌ２から伝送された信号（帰還量）を削減する減算回路５７を有し、抵抗値記憶部３２はＤＰ５２ｂにおいて、信号の調整値により設定された抵抗値が記憶される。
【００１７】
制御機ＣＰＵ３４の実行命令を受けた制御部５８は、発振回路５１に、例えば５ｋＨｚの正弦波のテスト信号を生成させるとともにスイッチ５６を切換え、発振回路５１からのテスト信号を親機幹線Ｌ２に送出すると共に、帰還量打ち消し回路５２に送出する。
テスト信号を受信した帰還量打ち消し回路５２は、テスト信号の振幅をＤＰ５２ｂで抵抗値を変化させることにより調整して出力し、減算回路５７で帰還量を減算して受話回路５４に出力する。
制御部５８は、この減算された信号をピーク検出回路５５の出力情報から読み取り、この信号が最小となるポイントを打ち消し信号生成回路５２ａを制御して探索する。具体的に、ＤＰ５２ｂの増幅率を変更して探索する。
こうして最小となるポイントを探索したら、その時のＤＰ５２ｂの抵抗値を抵抗値記憶部３２に書き込み、次の通話線の帰還量調整に移る。
【００１８】
第１通話線Ｌ２ｂの帰還量調整が終了したら、帰還量調整部３１が制御機ＣＰＵ３４に対して終了信号を出し、この信号を受けた制御機ＣＰＵ３４は、第２通話線Ｌ２ｃの帰還量調整工程に入る。
制御機ＣＰＵ３４が通話線切替要求部３３を制御して、通話線切替要求部３３から切替要求信号が出力される。切替要求信号は、帰還量を調整している親機幹線Ｌ２に接続されている全ての居室親機２に対してデータ線Ｌ２ａを介して送信される。この切替要求信号を受信した居室親機２の親機ＣＰＵ２２は、分岐切替送信部２１を起動して分岐器制御線を介して分岐器４に切替信号を出力させる。この信号により分岐器４のスイッチ４１が切り替わり、個々の居室親機２は第２通話線Ｌ２ｃに接続される。
その後、帰還量調整部３１により、上記第１通話線Ｌ２ｂの調整と同等な流れで第２通話線Ｌ２ｃの帰還量調整が行われ、調整した結果である抵抗値が抵抗値記憶部３２へ書き込まれる。
【００１９】
こうして、抵抗値記憶部３２に保存された抵抗値データに基づいて使用する通話線に応じて、対応する抵抗値を抵抗値記憶部３２から読み取って、ＤＰ５２ｂの増幅率を設定し、機器間の通話路を形成する。
【００２０】
このように、帰還量がハウリングが発生しない最適値と成った時のパラメータを記憶しておくため、実際の通話路形成時に使用する通話線に応じて記憶したパラメータを読み出して帰還量を調整することができ、２本の通話線Ｌ２ｂ，Ｌ２ｃに対して個々に帰還量調整部３１を設けることなく、１つの帰還量調整部３１により全ての通話線の帰還量調整を実施できる。よって、低コストでハウリングを防止できる。
また、単純に増幅率の調整で実施するため、帰還量の調整がし易いしパラメータを把握し易い。
【００２１】
尚、上記実施形態では通話線を第１通話線Ｌ２ｂと第２通話線Ｌ２ｃの２本としているが、親機幹線Ｌ２を構成する通話線は、２本以上であっても本発明を容易に適用することができ、１つの帰還量調整部３１を備えるだけで、各通話線の帰還量を良好に調整できる。
また、親機ＣＰＵ２２と分岐切替送信部２１とを別体としているが親機ＣＰＵ２２に分岐切替送信部２１を組み込んで一体としても良いし、制御機３においても制御機ＣＰＵ３４、帰還量調整部３１、抵抗値記憶部３２、通話線切替要求部３３を一体としても良い。
【符号の説明】
【００２２】
１・・集合玄関機、２・・居室親機、３・・制御機、４・・分岐器、２１・・分岐切替送信部、２２・・親機ＣＰＵ、３１・・帰還量調整部、３２・・抵抗値記憶部（記憶部）、３３・・通話線切替要求部、３４・・制御機ＣＰＵ、４１・・切替スイッチ、５２・・帰還量打ち消し回路、５２ａ・・打ち消し信号生成回路（増幅回路）、５７・・減算回路、５８・・制御部、Ｌ２・・親機幹線、Ｌ２ｂ・・第１通話線、Ｌ２ｃ・・第２通話線。
【図１】
2014017666.tif 000003
【図２】
2014017666.tif 000004
【図３】
2014017666.tif 000005
【図４】
2014017666.tif 000006
【図５】
2014017666.tif 000007